(57)【特許請求の範囲】
【請求項１】
アングルの角部の内側形状に合わせた凸部を備え、水平方向に配置した前記アングルを環状に繋げたリングの一方の面から支持するリング挟み手段と、
前記アングルの角部の外側形状に合わせた凹部を備え、前記リングの他方の面から支持して、前記リング挟み手段と締結し前記リングに固定するリング受け手段と、
前記リング受け手段と締結し、前記リング受け手段との間に生じた開口にアンテナ支持柱を挿入し垂直方向に固定するアンテナ支持柱固定手段と、
を備えたことを特徴とするアンテナ支持柱取付治具。
【請求項２】
前記リング受け手段には、前記リング挟み手段と接続する面に前記リング挟み手段のボルトが挿入する長孔を形成したことを特徴とする請求項１に記載のアンテナ支持柱取付治具。
【発明の詳細な説明】
【技術分野】
【０００１】
本発明はアンテナ支持柱取付治具に関し、特に鉄塔の先端に形成したリングに配設するアンテナ支持柱の取付治具に関する。
【背景技術】
【０００２】
携帯電話やＰＨＳなどの移動端末と電波の送受信を行う基地局がある。基地局は、アンテナ、送受信機器を配設している。基地局は電波の受信領域が大きくなるほど大型となる。一般に大型の基地局は、ビルやマンションの屋上などに設置されるほか、数十メートルの鉄塔に配置されることがある。
【０００３】
図４は鉄塔の説明図である。図示のように鉄塔１は、鉄塔の先端部に円筒状のリング２を形成している。リング２は、水平方向に配置したアングルを繋げてリング状に形成したものである。このアングルは、断面Ｌ字形、すなわち等辺の山形鋼である。一例としてリングに用いるアングルは、一辺がＬ６５ｍｍ、Ｌ７５ｍｍ、Ｌ９０ｍｍ、Ｌ１００ｍｍ、Ｌ１２０ｍｍの５種類のうちいずれかの寸法を用いている。現状のリングは、基地局の設置箇所、設置時期などによりアングルの寸法が様々である。このほかリングはまれにＣチャンネルを環状に繋げて形成することもあるが、一般にアングルを用いるケースが多い。またリング２の底面には、エキスパンドメタルを水平方向に取り付けたステージ３を形成している。ステージ３は、作業員がアンテナ取付作業等を行う作業台の役割を果たしている。そしてリング２の外側にアンテナ支持柱４を垂直方向に取り付けている。特許文献１，２に示すようにアンテナ支持柱４は、通信用のアンテナ６を取り付け対象となる鉄塔１に取り付けるために間で支持する部材である。さらにアンテナ支持柱４には、長手方向に沿ってアンテナ６を取り付けている。
【０００４】
図５は従来のアンテナ支持柱固定金物の説明図である。図５（１）は側面図を示し、（２）は平面図を示している。アンテナ支持柱４をリング２に取り付けるためには図示のような固定金物を用いている。アンテナ支持柱固定金物５は、図示のようにリング２を支持する金物Ａ及び金物Ｂと、金物Ｂに締結してアンテナ支持柱４を固定する金物Ｃから構成されている。従来のアンテナ支持柱固定金物５は、まず金物Ａおよび金物Ｂを用いて、金物ＡＢ間でリング２を挟み込んで固定し、ついで、金物Ｃでアンテナ支持柱４を垂直方向に支持させながら金物Ｂに固定している。
【特許文献１】特開２００７−２９５０８７号公報
【特許文献２】実用新案登録第３１２５２４７号公報
【発明の開示】
【発明が解決しようとする課題】
【０００５】
しかしながら従来のアンテナ支持柱を鉄塔のリングに取り付ける作業には、以下に示すような問題点があった。
＜１＞図５に示すようなアンテナ支持柱固定金物は、金物Ａおよび金物Ｂの間でリング２を挟み込み固定する構成である。金物Ａはリング２のアングルの断面Ｌ字形状に合わせて、いずれか一方の辺を挿入して支持する切り欠きＤを形成している。
このような金物Ａの切り欠きＤを形成する際には、あらかじめ正確なリング形状を把握する必要があるために、取り付け対象となるリングの形状を事前に調査しなければならない。
【０００６】
＜２＞施工対象となる鉄塔は、施工当時の設計図などの既存データにより、リングの形状寸法があらかじめ確認できる場合がある。しかし設計図と実物のリング形状とのあいだで若干の誤差があり寸法が合わないケースがある。このような場合、現場で固定金物をあてがい、若干の誤差が生じたときには切り欠きＤの加工修正を行わなければならない。また事前に加工した切り欠きでは対応できない場合には金物Ａをそっくりそのまま交換しなければならず、加工の二度手間となっていた。
【０００７】
＜３＞前述の＜１＞に示すような鉄塔の先端に形成したリングの形状を調査することは、高所であり危険を伴う作業である。また鉄塔によっては、先端に作業員が作業するステージが設置されていない鉄塔がある。このような場合、アンテナの取り付け作業に加えて、事前にリング形状を調査する作業は、高所作業の回数が増えて危険を伴う。このため、できる限り高所作業の数を減らしてアンテナを施工できることが望まれている。
【０００８】
そこで本発明は上記従来技術の問題点を解決すべく、鉄塔の先端に配設されたリングを構成するアングル（山形鋼）の寸法（一辺の長さ）に係わらず取り付け可能なアンテナ支持柱取付治具を提供することを目的としている。
またアンテナ鉄塔のリングに容易に固定可能なアンテナ支持柱取付治具を提供することを目的としている。
【課題を解決するための手段】
【０００９】
上記目的を達成するため、本発明のアンテナ支持柱取付治具は、アングルの角部の内側形状に合わせた凸部を備え、水平方向に配置した前記アングルを環状に繋げたリングの一方の面から支持するリング挟み手段と、前記アングルの角部の外側形状に合わせた凹部を備え、前記リングの他方の面から支持して、前記リング挟み手段と締結し前記リングに固定するリング受け手段と、前記リング受け手段と締結し、前記リング受け手段との間に生じた開口にアンテナ支持柱を挿入し垂直方向に固定するアンテナ支持柱固定手段と、を備えたことを特徴としている。
この場合において、前記リング受け手段には、前記リング挟み手段と接続する面に前記リング挟み手段のボルトが挿入する長孔を形成しているとよい。
【発明の効果】
【００１０】
上記構成による本発明のアンテナ支持柱取付治具によれば、リングを構成するアングルの内側形状に合わせた凸部および外側形状に合わせた凹部を形成し、アングルの角部を内側および外側から挟み込むようにしている。
【００１１】
このときアングル（直角二等辺三角形）の二辺間の頂角から、二辺の端部を結ぶ対辺に下ろした垂線の軸線に沿ってリング挟み手段の凸部とリング受け手段の凹部でアングルを挟み込むようにしている。よって凸部および凹部の中心、すなわち凸部の最頂点および凹部の最下点で、二辺間の角部を支持することができる。このときリング挟み手段およびリング受け手段は、いずれもアングルの二辺の端部に接触することがなく、二辺の端部に空きスペースを形成することができる。
【００１２】
このため、鉄塔の先端に配設したリングに一般に用いられている一辺の長さがＬ１２０以下、一例としてL５０からL１２０までのアングルに対し、一辺の長さ寸法に関わらず、アンテナ支持柱をリングに取り付けることができる。
【００１３】
またアンテナ支持柱取付治具のリング受け手段には、リング受け手段とリング挟み手段が接触する面に前記リング挟み手段のボルトが挿入する長孔を形成している。
【００１４】
このため、リング挟み手段の一対の折り曲げ部のいずれか一方側のボルトを長孔に挿入してナットで仮締めした状態で、他方側のボルトを対向する長孔に出し入れすることができる。この仮止めの状態でリングの上面側に取付治具のリング挟み手段またはリング受け手段のいずれか一方を載置して、その後他方のリング受け手段又はリング挟み手段を長孔に挿入して締結し、リングに固定することができる。よって取付治具はリングに一体的、すなわち仮止めの状態で取り付けることができ、作業員が単独であっても容易に取り付けることができる。
【発明を実施するための最良の形態】
【００１５】
以下本発明のアンテナ支持柱取付治具の実施形態について添付の図面を参照しながら詳細に説明する。
図１は実施形態に係るアンテナ支持柱取付治具の説明図である。図２は実施形態に係るアンテナ支持柱取付治具の分解斜視図である。図３はアンテナ支持柱取付治具の正面図である。
【００１６】
図示のようにアンテナ支持柱取付治具１０は、リング挟み手段とリング受け手段とアンテナ支持柱固定手段を主な構成要件としている。
リング挟み手段となるリング挟み部２０は、平面方向に配置したアングル５０を環状に繋げたリング６０を一方の面から支持する部材である。リング挟み部２０の本体２１は、図３に示すように平板鋼材の両端を折り曲げ断面凹形状に形成している。本体２１の底辺には、平板鋼材の両端を折り曲げた内側に凸部２２を形成している。
【００１７】
凸部２２は、アングル５０の二辺５２ａ、５２ｂとその間の角部５４の内側の形状に合わせて形成した突起である。具体的には、アングル断面形状となる直角二等辺三角形の二辺５２ａ、５２ｂの内側と、その間の頂角（角部５４）の形状に倣った略直角二等辺三角形状の２枚の凸部材２４ａ、２４ｂをリング挟み部２０の幅方向に沿って並べている。そしてその間を補強部材２６で連結し平面視においてＨ形状に固定している。なお凸部材２４ａ、２４ｂの先端は面取り加工を施している。
【００１８】
またリング挟み部２０は、両端の折り曲げ部２８の側面に沿って４つのボルト軸２９ａ、２９ｂ、２９ｃ、２９ｄを取り付けている。ボルト軸２９ａ、２９ｂ、２９ｃ、２９ｄは、一端側の側面を折り曲げ部２８に溶接等の固定手段によって固定し、他端側を折り曲げ部２８から突出させてねじ切り加工を施してある。
【００１９】
リング受け手段となるリング受け部３０は、リング挟み部２０と対向し、平面方向に配置したアングル５０を環状に繋げたリング６０を他方の面から支持する部材である。リング受け部３０は、アングル５０と接する凹部３２を備えた凹形部材３４と、リング挟み部２０と接続するＬ形部材３６と、後述するアンテナ支持柱固定手段と接続する平板部材３８とから構成されている。
【００２０】
凹形部材３４は、図３に示すように一端にアングル５０を支持する凹部３２を形成し、他端に平板部材３８を接合させている。凹形部材３４は平面視において同一形状の一対の部材３４ａ、３４ｂからなる。凹部３２は、アングル５０の断面形状となる直角二等辺三角形の二辺５２ａ、５２ｂの外側と、その間の頂角（角部５４）の形状に合わせて形成している。凹部３２は中心となる最下点にアングル５０の角部５４と接する角部３２ｃを形成している。凹形部材３４の他端に接合する平板部材３８の接合面は、凹部３２の一方の辺３２ａと直行し、他方の辺３２ｂと平行になるように形成している。また一対の凹形部材３４ａ、３４ｂはリング６０に沿ってリングの断面方向と平行に所定の間隔をあけて、後述するＬ形部材３６と接合している。
【００２１】
Ｌ形部材３６は、断面Ｌ字形状の山形鋼であり、前述の一対の凹形部材３４の間隔よりも僅かに長い一対の部材（３６ａ、３６ｂ）である。Ｌ形部材３６は、一方の辺を凹形部材３４に固定し、他方の辺が前述のリング挟み部２０と対向し、リング挟み部２０のボルト２９を挿入する長孔３７を形成している。長孔３７は、その長さを、リング挟み部２０の一対の折り曲げ部２８のいずれか一方側のボルト２９を長孔３７に挿入してナット６２で仮止めし、この状態で他方側のボルト２９を対向する長孔３７に出し入れすることができる長さに形成している。例えば、リング挟み部２０のボルト２９ａ、２９ｂをリング受け部３０の長孔３７に挿入し、ナットを螺合して仮止めの状態とする。このとき仮止め状態としていないリング挟み部２０のボルト２９ｃ、２９ｄは、長孔３７より自由に出し入れすることができる長さに設定している。
【００２２】
平板部材３８は、平面視において矩形の平板鋼材であって、四隅に後述するアンテナ支持柱固定手段のボルトが挿入される孔３９を形成してある。平板部材３８は、凹形部材３６の接合において、平面視において台形状の補強部材３８ａとともに固定している。
【００２３】
アンテナ支持柱固定手段となるアンテナ支持柱固定バンド４０は、棒状のアンテナ支持柱７０を垂直に固定するバンドである。このアンテナ支持柱固定バンド４０は、アンテナ支持柱７０の側面の曲線に倣って平板鋼材を断面Ｕ字形状に曲げ加工している。アンテナ支持柱固定バンド４０は、平板鋼材の一対の折り曲げ部４２の外面に４つのボルト軸４４ａ、４４ｂ、４４ｃ、４４ｄを取り付けている。ボルト軸４４は、リング挟み部２０のボルト軸２９と同様に、一端側の側面を折り曲げ部４２に溶接等の固定手段によって固定し、他端側を折り曲げ部４２から突出させてねじ切り加工を施してある。アンテナ支持柱固定バンド４０は、リング受け部３０の平板部材３８の孔３９にボルト軸４４を挿入する。このときリング受け部３０とアンテナ支持柱固定バンド４０との間に生じた開口にアンテナ支持柱を挿入し、ナット６２を螺合しリング受け部３０に固定することができる。
【００２４】
次に上記構成によるアンテナ支持柱取付治具の作用について以下説明する。
水平方向に配置したアングル５０を環状に繋げたリング６０は、アングル５０の一方の辺５２ａが水平方向に沿って配置される。そして他方の辺５２ｂは、垂直方向に沿って配置される。このとき、設置箇所により、アングル５０の他方の辺５２ｂは、水平方向に配置した一方の辺５２ａに対し、垂直方向の上面側（以下、上向きという。）、または下面側（以下、下向きという。）に突出している。なお図１、図３は他方の辺５２ｂが水平方向に配置した一方の辺５２ａに対し、下向きに突出したリング６０を示している。以下、アンテナ支持柱取付治具１０を下向きのリング６０に取り付ける場合について説明する。
【００２５】
リング挟み部２０のボルト軸２９ａ、２９ｂ、２９ｃ、２９ｄをリング受け部３０の長孔３７に挿入する。そしてナット６２をリング挟み部２０のいずれか一方側の折り曲げ部２８に固定した一対のボルト軸２９ａ、２９ｂ又は２９ｃ、２９ｄに螺合させる。本実施形態では例えばボルト軸２９ａ、２９ｂのみに螺合させて、リング挟み部２０とリング受け部３０を仮組み状態にする。このときリング挟み部２０のボルト軸２９を挿入するリング受け部３０の孔は長孔に形成してあり、ナット６２を螺合させていないボルト軸２９ｃ、２９ｄは、対向する長孔３７に対して自由に出し入れすることができる。
【００２６】
次に、リング挟み部２０とリング受け部３０を仮組みした状態で、ナット６２を螺合させていないリング挟み部３０のボルト軸２９ｃ、２９ｄを長孔３７から抜き出し離間させる。そしてリング挟み部２０とリング受け部３０が開いた状態で、水平方向に沿って配置されたアングル５０の一方の辺５２ａ上にリング受け部３０の凹部３２の一方の辺３２ａを載置する。この状態で挟み込み位置の位置決めを行いその後、リング挟み部３０のボルト軸２９ｃ、２９ｄを長孔３７に挿入し、ナット６２を螺合させてリング挟み部２０およびリング受け部３０をリング６０に固定させる。
【００２７】
リング受け部３０の孔３９にアンテナ支持柱固定バンド４０のボルト軸４４を挿入する。そしてリング受け部３０とアンテナ支持柱固定バンド４０の間に形成された開口部にアンテナ支持柱７０を挿入して位置決めを行い、ナット６２をボルト軸４４に螺合させてアンテナ支持柱７０をリング６０に固定する。
【００２８】
以上、リング６０が下向きの状態で説明したが、リング６０が上向きの場合には、リング挟み部２０の凸部２２をアングル５０の角部５４に接触させる。そしてこの状態で挟み込み位置の位置決めを行いその後、リング挟み部３０のボルト軸２９を長孔３７に挿入し、ナット６２を螺合させてリング挟み部２０およびリング受け部３０をリング６０に固定させるようにすればよい。
【００２９】
このようなアンテナ支持柱取付治具によれば、凸部および凹部は、アングルの二辺の外側および内側に接している。また、凸部の最先端にアングルの角部が、また凹部の最下点にアングルの角部が配置するように形成している。そしてアングルの二辺の端部に空きスペースを設けている。したがって、アングルの二辺の寸法の長さに関わらず、取付治具をリングに固定することができる。
【００３０】
また、リング挟み部のボルトを挿入するリング受け部の孔は長孔に形成している。このため、リング挟み部とリング受け部を仮組みした状態、すなわち一体的にリングに取り付けることができる。よって、複数の作業員により一人が一方の治具を押え、一人が他方の治具を抑える必要がなく、作業員が単独でも容易に取付治具をリングに固定することができる。
【図面の簡単な説明】
【００３１】
【図１】アンテナ支持柱取付治具の説明図である。
【図２】アンテナ支持柱取付治具の分解斜視図である。
【図３】アンテナ支持柱取付治具の正面図である。
【図４】鉄塔の説明図である。
【図５】従来のアンテナ支持柱固定金物の説明図である。
【符号の説明】
【００３２】
１………鉄塔、２………リング、３………ステージ、４………アンテナ支持柱、５………アンテナ支持柱固定金物、６………アンテナ、１０………アンテナ支持柱取付治具、２０………リング挟み部、２１………本体、２２………凸部、２４………凸部材、２６………補強部材、２８………折り曲げ部、２９………ボルト軸、３０………リング受け部、３２………凹部、３４………凹形部材、３６………Ｌ形部材、３７………長孔、３８………平板部材、３９………孔、４０………アンテナ支持柱固定バンド、４２………折り曲げ部、４４………ボルト軸、５０………アングル、５２………辺、５４………角部、６０………リング、６２………ナット、７０………アンテナ支持柱。
【図１】
0005013107.tif 000002
【図２】
0005013107.tif 000003
【図３】
0005013107.tif 000004
【図４】
0005013107.tif 000005
【図５】
0005013107.tif 000006